(57)【要約】【課題】緊急対応性を向上した搬送支援装置、搬送支援システム、搬送支援方法およびプログラムを提供すること。【解決手段】車両位置情報取得部１２と、車両の乗員の状態を検知する検知部１００から検知データを取得する検知データ取得部１１と、検知データによって乗員の身体が異常状態であると推定されるかを判断する判断部１３と、乗員の身体が異常状態であると推定されると判断されると、現在位置情報と検知データとを、救急搬送支援施設に送信する送信部１５と、現在位置情報と検知データとに基づいて、救急搬送支援施設によって選定された、乗員を病院まで搬送する救急移動体と車両との合流地点の合流地点情報を受信する受信部１６と、合流地点情報と現在位置情報とに基づいて、合流地点までのルートを検索するルート検索部１７とを備える。【選択図】図２
2019164022.tif 000002
【特許請求の範囲】
【請求項１】
車両の現在位置情報を取得する車両位置情報取得部と、
前記車両の乗員の状態を検知する検知部から検知データを取得する検知データ取得部と、
前記検知データ取得部が取得した前記検知データによって前記乗員の身体が異常状態であると推定されるかを判断する判断部と、
前記判断部によって前記乗員の身体が異常状態であると推定されると判断されると、前記車両位置情報取得部が取得した前記現在位置情報と、前記検知データとを、救急搬送支援施設に送信する送信部と、
前記車両位置情報取得部が取得した前記現在位置情報と、前記検知データ取得部が取得した前記検知データとに基づいて、前記救急搬送支援施設によって選定され、前記救急搬送支援施設から送信される前記乗員を前記病院まで搬送する救急移動体と前記車両との合流地点の合流地点情報を受信する受信部と、
前記合流地点情報と前記現在位置情報とに基づいて、前記合流地点までのルートを検索するルート検索部と、
を備えることを特徴とする搬送支援装置。
【請求項２】
前記受信部は、前記車両または前記救急移動体が前記合流地点に先に到着する場合、前記車両と前記救急移動体との新しい合流地点の前記合流地点情報を受信し、
前記ルート検索部は、新しい前記合流地点までのルートを検索する、
請求項１に記載の搬送支援装置。
【請求項３】
前記ルート検索部で検索した前記ルートに沿って前記合流地点まで自動走行する制御信号を出力する自動運転制御部、
を備える請求項１または２に記載の搬送支援装置。
【請求項４】
車両の現在位置情報を取得する車両位置情報取得部と、
前記車両の乗員の状態を検知する検知部から検知データを取得する検知データ取得部と、
前記検知データ取得部が取得した前記検知データによって前記乗員の身体が異常状態であると推定されるかを判断する判断部と、
前記判断部によって前記乗員の身体が異常状態であると推定されると判断されると、前記車両位置情報取得部が取得した前記現在位置情報と、前記検知データとを、救急搬送支援施設に送信する第一送信部と、
前記車両と救急移動体との合流地点の合流地点情報を受信する第一受信部と、
前記合流地点情報と前記現在位置情報とに基づいて、前記合流地点までのルートを検索するルート検索部と、
を有する搬送支援装置と、
前記第一送信部から、前記車両位置情報取得部が取得した前記現在位置情報と、前記検知データとを受信する第二受信部と、
前記第二受信部が受信した前記現在位置情報と前記検知データとに基づいて、前記病院まで搬送する前記救急移動体と前記車両との合流地点を選定する合流地点選定部と、
前記合流地点選定部が選定した合流地点情報を送信する第二送信部と、
を有する合流地点選定装置と、
を備えることを特徴とする搬送支援システム。
【請求項５】
前記合流地点選定部は、前記車両または前記救急移動体が前記合流地点に先に到着すると、前記車両と前記救急移動体との新しい合流地点を選定し、
前記第二送信部は、前記合流地点選定部が前記新しい合流地点を選定すると、前記新しい合流地点の合流地点情報を送信し、
前記ルート検索部は、前記第一受信部が前記新しい合流地点の前記合流地点情報を受信すると、前記新しい合流地点までのルートを検索する、
請求項４に記載の搬送支援システム。
【請求項６】
前記搬送支援装置は、前記ルート検索部で検索した前記ルートに沿って前記合流地点まで自動走行する制御信号を出力する自動運転制御部、
を備える請求項４または５に記載の搬送支援システム。
【請求項７】
車両の現在位置情報を取得する車両位置情報取得ステップと、
前記車両の乗員の状態を検知する検知部から検知データを取得する検知データ取得ステップと、
前記検知データ取得ステップによって取得した前記検知データによって前記乗員の身体が異常状態であると推定されるかを判断する判断ステップと、
前記判断ステップによって前記乗員の身体が異常状態であると推定されると判断されると、前記現在位置情報取得ステップによって取得した前記現在位置情報と、前記検知データとを、救急搬送支援施設に送信する送信ステップと、
前記現在位置情報取得ステップによって取得した前記現在位置情報と、前記検知データ取得ステップによって取得した前記検知データとに基づいて、前記救急搬送支援施設によって選定され、前記救急搬送支援施設から送信される前記乗員を前記病院まで搬送する救急移動体と前記車両との合流地点の合流地点情報を受信する受信ステップと、
前記合流地点情報と前記現在位置情報とに基づいて、前記合流地点までのルートを検索するルート検索ステップと、
を含む、搬送支援方法。
【請求項８】
車両の現在位置情報を取得する車両位置情報取得ステップと、
前記車両の乗員の状態を検知する検知部から検知データを取得する検知データ取得ステップと、
前記検知データ取得ステップによって取得した前記検知データによって前記乗員の身体が異常状態であると推定されるかを判断する判断ステップと、
前記判断ステップによって前記乗員の身体が異常状態であると推定されると判断されると、前記現在位置情報取得ステップによって取得した前記現在位置情報と、前記検知データとを、救急搬送支援施設に送信する送信ステップと、
前記現在位置情報取得ステップによって取得した前記現在位置情報と、前記検知データ取得ステップによって取得した前記検知データとに基づいて、前記救急搬送支援施設によって選定され、前記救急搬送支援施設から送信される前記乗員を前記病院まで搬送する救急移動体と前記車両との合流地点の合流地点情報を受信する受信ステップと、
前記合流地点情報と前記現在位置情報とに基づいて、前記合流地点までのルートを検索するルート検索ステップと、
を搬送支援装置として動作するコンピュータに実行させるためのプログラム。
【発明の詳細な説明】
【技術分野】
【０００１】
本発明は、搬送支援装置、搬送支援システム、搬送支援方法およびプログラムに関する。
【背景技術】
【０００２】
車両の運転者の状態異常をセンサによって検知して、運転者に警告を発したり、状況に応じて、車両を自動的に停止したり、周囲に通知したり、救急センターに通報したりする技術が知られている（例えば、特許文献１参照）。
【先行技術文献】
【特許文献】
【０００３】
【特許文献１】特開２０００−３０１９６３号公報
【発明の概要】
【発明が解決しようとする課題】
【０００４】
車両の運転者を含む乗員に異常があったとき、救急車の到着を待つ時間がロスになるおそれがある。例えば、自動運転が可能な車両であったり、異常があった乗員以外の同乗者が運転可能であったりすれば、救急車や救急救命用のヘリコプターなどの救急移動体との合流地点まで移動することで、時間的なロスを低減できる可能性がある。このように、乗員に異常があったときの、緊急対応性の向上には改善の余地がある。
【０００５】
本発明は、上記に鑑みてなされたものであって、緊急対応性を向上した搬送支援装置、搬送支援システム、搬送支援方法およびプログラムを提供することを目的とする。
【課題を解決するための手段】
【０００６】
上述した課題を解決し、目的を達成するために、本発明に係る搬送支援装置は、車両の現在位置情報を取得する車両位置情報取得部と、前記車両の乗員の状態を検知する検知部から検知データを取得する検知データ取得部と、前記検知データ取得部が取得した前記検知データによって前記乗員の身体が異常状態であると推定されるかを判断する判断部と、前記判断部によって前記乗員の身体が異常状態であると推定されると判断されると、前記車両位置情報取得部が取得した前記現在位置情報と、前記検知データとを、救急搬送支援施設に送信する送信部と、前記車両位置情報取得部が取得した前記現在位置情報と、前記検知データ取得部が取得した前記検知データとに基づいて、前記救急搬送支援施設によって選定された、前記乗員を前記病院まで搬送する救急移動体と前記車両との合流地点の合流地点情報を受信する受信部と、前記合流地点情報と前記現在位置情報とに基づいて、前記合流地点までのルートを検索するルート検索部と、を備えることを特徴とする。
【０００７】
本発明に係る搬送支援システムは、車両の現在位置情報を取得する車両位置情報取得部と、前記車両の乗員の状態を検知する検知部から検知データを取得する検知データ取得部と、前記検知データ取得部が取得した前記検知データによって前記乗員の身体が異常状態であると推定されるかを判断する判断部と、前記判断部によって前記乗員の身体が異常状態であると推定されると判断されると、前記車両位置情報取得部が取得した前記現在位置情報と、前記検知データとを、救急搬送支援施設に送信する第一送信部と、前記車両と救急移動体との合流地点の合流地点情報を受信する第一受信部と、前記合流地点情報と前記現在位置情報とに基づいて、前記合流地点までのルートを検索するルート検索部と、を有する搬送支援装置と、前記第一送信部から、前記車両位置情報取得部が取得した前記現在位置情報と、前記検知データとを受信する第二受信部と、前記第二受信部が受信した前記現在位置情報と前記検知データとに基づいて、前記病院まで搬送する前記救急移動体と前記車両との合流地点を選定する合流地点選定部と、前記合流地点選定部が選定した合流地点情報を送信する第二送信部と、を有する合流地点選定装置と、を備えることを特徴とする。
【０００８】
本発明に係る搬送支援方法は、車両の現在位置情報を取得する車両位置情報取得ステップと、前記車両の乗員の状態を検知する検知部から検知データを取得する検知データ取得ステップと、前記検知データ取得ステップによって取得した前記検知データによって前記乗員の身体が異常状態であると推定されるかを判断する判断ステップと、前記判断ステップによって前記乗員の身体が異常状態であると推定されると判断されると、前記現在位置情報取得ステップによって取得した前記現在位置情報と、前記検知データとを、救急搬送支援施設に送信する送信ステップと、前記現在位置情報取得ステップによって取得した前記現在位置情報と、前記検知データ取得ステップによって取得した前記検知データとに基づいて、前記救急搬送支援施設によって選定された、前記乗員を前記病院まで搬送する救急移動体と前記車両との合流地点の合流地点情報を受信する受信ステップと、前記合流地点情報と前記現在位置情報とに基づいて、前記合流地点までのルートを検索するルート検索ステップと、を含む。
【０００９】
本発明に係るプログラムは、車両の現在位置情報を取得する車両位置情報取得ステップと、前記車両の乗員の状態を検知する検知部から検知データを取得する検知データ取得ステップと、前記検知データ取得ステップによって取得した前記検知データによって前記乗員の身体が異常状態であると推定されるかを判断する判断ステップと、前記判断ステップによって前記乗員の身体が異常状態であると推定されると判断されると、前記現在位置情報取得ステップによって取得した前記現在位置情報と、前記検知データとを、救急搬送支援施設に送信する送信ステップと、前記現在位置情報取得ステップによって取得した前記現在位置情報と、前記検知データ取得ステップによって取得した前記検知データとに基づいて、前記救急搬送支援施設によって選定された、前記乗員を前記病院まで搬送する救急移動体と前記車両との合流地点の合流地点情報を受信する受信ステップと、前記合流地点情報と前記現在位置情報とに基づいて、前記合流地点までのルートを検索するルート検索ステップと、を搬送支援装置として動作するコンピュータに実行させる。
【発明の効果】
【００１０】
本発明によれば、緊急対応性を向上した搬送支援装置、搬送支援システム、搬送支援方法およびプログラムを提供することができるという効果を奏する。
【図面の簡単な説明】
【００１１】
【図１】図１は、第一実施形態に係る搬送支援システムの概略を示す概略図である。
【図２】図２は、第一実施形態に係る搬送支援システムの構成例を示すブロック図である。
【図３】図３は、第一実施形態に係る搬送支援システムにおける処理の流れを示すシーケンス図である。
【図４】図４は、第一実施形態に係る搬送支援装置における処理の流れを示すフローチャートである。
【図５】図５は、第一実施形態に係る合流地点選定装置における処理の流れを示すフローチャートである。
【図６】図６は、第一実施形態に係る搬送支援装置における処理の流れを示すフローチャートである。
【図７】図７は、第一実施形態に係る合流地点選定装置における処理の流れを示すフローチャートである。
【図８】図８は、第二実施形態に係る搬送支援システムにおける処理の流れを示すシーケンス図である。
【発明を実施するための形態】
【００１２】
以下に添付図面を参照して、本発明に係る搬送支援システム１、搬送支援装置１０、搬送支援方法およびプログラムの実施形態を詳細に説明する。なお、以下の実施形態により本発明が限定されるものではない。
【００１３】
［第一実施形態］
図１は、第一実施形態に係る搬送支援システムの概略を示す概略図である。図２は、第一実施形態に係る搬送支援システムの構成例を示すブロック図である。搬送支援システム１は、乗員の身体が異常状態になると、救急移動体と車両との合流地点までのルートを選定して、車両を救急移動体との合流地点まで走行させる。搬送支援システム１は、搬送支援装置１０と、合流地点選定装置２０と、検知部１００とが、データを送受信可能に接続されている。本実施形態では、車両は自動運転が可能である。また、本実施形態では、車両の乗員のうち、運転者に異常が生じたものとして説明する。
【００１４】
救急移動体とは、救急車と救急救命用のヘリコプターとを含む。本実施形態では、救急移動体は、救急車として説明する。
【００１５】
検知部１００は、車両の乗員の状態を検知する。例えば、検知部１００は、乗員を撮影するカメラである。例えば、検知部１００は、乗員の生体情報を検知するセンサである。センサは、例えば、ステアリングまたはダッシュボードを含む車両内に設置されているものでもよいし、乗員が身体に装着するウエアラブル端末であってもよい。
【００１６】
検知部１００は、乗員の生体情報として、瞳孔情報と、視線情報と、瞬き情報と、脈拍情報と、体温情報と、呼吸の有無を含む呼吸情報と、意識の有無を含む意識情報との少なくともいずれかを取得する。より詳しくは、例えば、瞳孔情報は、車内に配置されたカメラで撮影した乗員の眼部の映像データに画像処理を行って取得する。例えば、視線情報は、乗員の視線を検出する視線検出装置の検出結果から取得する。例えば、瞬き情報は、車内に配置されたカメラで撮影した乗員の眼部の映像データに画像処理を行って取得する。例えば、脈拍情報は、ステアリングに配置されたセンサが検知した検知データから取得する。例えば、体温情報は、車内に配置された赤外線カメラで撮影した乗員の顔部の赤外映像データから取得する。例えば、呼吸情報は、車内に配置されたカメラで撮影した乗員の顔部の映像データに画像処理を行って取得する。例えば、意識情報は、車内に配置されたカメラで撮影した乗員の顔部の映像データに画像処理を行って取得する。検知部１００は、このようにして検知した生体情報を検知データとして、搬送支援装置１０に出力する。
【００１７】
さらに、検知部１００は、乗員の生体情報として、身体がけいれんしていることを示すけいれん情報と、大量に出血していることを示す大量出血情報とを取得してもよい。検知部１００は、けいれん情報と大量出血情報とを検知データに含めて、搬送支援装置１０に出力してもよい。例えば、けいれん情報と大量出血情報とは、車内に配置されたカメラで撮影した乗員の映像データに画像処理を行って取得する。
【００１８】
搬送支援装置１０は、車両に搭載されている。搬送支援装置１０は、車両用のナビゲーションシステムの機能の一つとして実装されていてもよい。本実施形態では、搬送支援装置１０は、車両に搭載されたナビゲーションシステムの機能として実装されている。搬送支援装置１０は、例えば、ＣＰＵ（Ｃｅｎｔｒａｌ  Ｐｒｏｃｅｓｓｉｎｇ  Ｕｎｉｔ）などで構成された演算処理装置である。搬送支援装置１０は、図示しない記憶部に記憶されているプログラムに含まれる命令を実行する。搬送支援装置１０は、乗員の異常を検知すると、合流地点選定装置２０に対して異常情報と車両の現在位置情報とを送信する。搬送支援装置１０は、合流地点選定装置２０から合流地点情報を取得すると、合流地点までのルートを検索する。さらに、搬送支援装置１０は、車両に対して、合流地点まで自動走行するように制御する。搬送支援装置１０は、検知データ取得部１１と、車両位置情報取得部１２と、判断部１３と、通信部１４と、ルート探索部１７と、自動運転制御部１８と、記憶部１９とを有する。
【００１９】
検知データ取得部１１は、検知部１００から車両の乗員の生体情報である検知データを取得する。検知データ取得部１１は、取得した検知データを判断部１３に出力する。
【００２０】
車両位置情報取得部１２は、車両の現在位置の現在位置情報を取得する。本実施形態では、車両位置情報取得部１２は、車両に搭載されたＧＰＳ（Ｇｌｏｂａｌ  Ｐｏｓｉｔｉｏｎｉｎｇ  Ｓｙｓｔｅｍ）受信機によって取得した車両の現在位置情報を取得する。車両位置情報取得部１２は、取得した現在位置情報を判断部１３とルート探索部１７と自動運転制御部１８とに出力する。
【００２１】
判断部１３は、検知データ取得部１１が取得した検知データによって乗員の身体が異常状態であると推定されるかを判断する。異常状態であるとは、乗員の状態が、救急搬送が必要とされる状態である。救急搬送が必要とされる状態とは、例えば、意識がないとき、呼吸が停止しているとき、脈がないとき、身体がけいれんしているとき、大量に出血しているとき、体温が低下しているときである。
【００２２】
判断部１３は、検知データに含まれる意識情報と瞳孔情報と視線情報と瞬き情報とから、意識の有無を判断する。判断部１３は、検知データに含まれる呼吸情報から、呼吸が停止していると判断する。判断部１３は、検知データに含まれる脈拍情報から、脈がないと判断する。判断部１３は、検知データに含まれるけいれん情報から、身体がけいれんしていると判断する。判断部１３は、検知データに含まれる大量出血情報から、大量に出血していると判断する。判断部１３は、検知データに含まれる体温情報から、体温が低下していると判断する。
【００２３】
判断部１３は、意識がないと判断されるとき、呼吸が停止していると判断されるとき、脈がないと判断されるとき、身体がけいれんしていると判断されるとき、大量に出血していると判断されるとき、または、体温が低下していると判断されるとき、乗員の身体が異常状態であると推定されると判断する。判断部１３は、判断結果を検知データである異常情報とともに通信部１４に出力する。判断部１３は、判断結果を自動運転制御部１８に出力する。
【００２４】
異常情報は、検知データに基づいて生成される。異常情報は、医師の診断に役立つ乗員の生体情報である。例えば、異常情報は、乗員を撮影した映像、センサなどが検知したデータである。
【００２５】
通信部１４は、送信部（第一送信部）１５と受信部（第一受信部）１６とを有する。
【００２６】
送信部１５は、判断部１３が乗員の身体が異常状態であると推定されると判断すると、車両位置情報取得部１２が取得した現在位置情報と、異常情報とを合流地点選定装置２０に送信する。
【００２７】
送信先の合流地点選定装置２０は、乗員のかかりつけ病院が、あらかじめ記憶部１９に記憶されている場合、または、乗員が携帯している携帯電子機器から取得可能である場合、かかりつけ病院に配置された合流地点選定装置２０としてもよい。または、送信先の合流地点選定装置２０は、車両の現在位置情報から最寄りの救急病院に設置された合流地点選定装置２０としてもよい。
【００２８】
受信部１６は、合流地点選定装置２０から、車両と救急車との合流地点の合流地点情報を受信する。受信部１６は、受信した合流地点情報をルート探索部１７に出力する。
【００２９】
ルート探索部１７は、合流地点選定装置２０から受信した合流地点情報と現在位置情報とに基づいて、合流地点までのルートを検索する。ルートを検索する方法は、公知のルート検索方法を使用可能であり、限定されない。
【００３０】
自動運転制御部１８は、判断部１３の判断結果が、乗員の身体が異常状態であると推定されるとの判断である場合、車両が走行中であれば、車両を安全な場所に停車させるように車両の図示しない運転制御部に制御信号を出力する。
【００３１】
自動運転制御部１８は、ルート探索部１７が検索したルート情報に基づいて、合流地点まで車両を走行させるように、運転制御部に制御信号を出力する。
【００３２】
記憶部１９は、搬送支援装置１０における各種処理に要するデータおよび各種処理結果を記憶する。記憶部１９は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリなどの半導体メモリ素子、または、ハードディスク、光ディスク、ネットワークを介した外部記憶装置などの記憶装置である。または、図示しない通信装置を介して無線接続される外部記憶装置であってもよい。
【００３３】
合流地点選定装置２０は、例えば、病院、消防署、または、救急搬送先を選定したり救急車に対する出動指令を発したりする権限を有する機関を含む救急搬送支援施設に設置されている。本実施形態では、合流地点選定装置２０は、病院（救急搬送支援施設）に設置されているものとして説明する。合流地点選定装置２０は、例えば、ＣＰＵなどで構成された演算処理装置である。合流地点選定装置２０は、図示しない記憶部に記憶されているプログラムに含まれる命令を実行する。合流地点選定装置２０は、搬送支援装置１０から受信した異常情報に応じて、車両と救急車との合流地点を選定して、搬送支援装置１０に合流地点情報を送信する。合流地点選定装置２０は、受信部（第二受信部）２１と、合流地点選定部２２と、送信部（第二送信部）２３とを有する。
【００３４】
受信部２１は、搬送支援装置１０から異常情報と車両の現在位置情報とを受信する。受信部２１は、受信した異常情報を、医師に通知する。受信部２１は、受信した車両の現在位置情報を合流地点選定部２２に出力する。
【００３５】
医師は、通知された異常情報を確認して、乗員の症状を診断することが可能である。医師は、乗員の症状を、救急車を出動させた方がよいか、言い換えると、緊急度が高いか否かを含めて診断する。医師による診断の結果である診断結果情報は、医師が診断に使用した診断装置などから搬送支援装置１０に対して送信してもよいし、医師が合流地点選定部２２の入力装置を介して診断結果情報を直接入力してもよい。
【００３６】
合流地点選定部２２は、受信部２１が受信した車両の現在位置情報と異常情報とに基づいて、病院まで搬送する救急車と車両との合流地点を選定する。合流地点選定部２２は、医師による乗員の診断結果情報が「緊急度が高い」とされた場合、乗員を病院に搬送する際の合流地点を選定する。
【００３７】
合流地点は、例えば、病院の所在地と車両の現在位置との中間地点であって、例えば、公共施設などの駐車場、公園、駐停車可能な道路の路肩など、乗員を安全に救急車に移動可能な地点を選定することが好ましい。合流地点は、乗員が最も早く救急車と合流することが可能な地点であることが好ましい。言い換えると、合流地点は、車両が合流地点に到着するまでに要する時間と、救急車が合流地点に到着するまでに要する時間とが、等しくかつ最短となる地点が好ましい。合流地点は、乗員が救急車と合流するまでに要する時間と、合流地点から病院までに要する時間との合計の時間が最も短くなる地点であることが好ましい。ただし、車両が現在位置から動ける状態にない場合には、合流地点が車両の現在位置に選定されることもある。
【００３８】
または、合流地点選定部２２は、医師による乗員の診断結果情報が「緊急度が高い」場合とされていても、車両の現在位置情報が病院に近い場合、合流地点を選定せずに、病院まで車両で移動してもらうこととしてもよい。
【００３９】
さらに、合流地点選定部２２は、車両または救急車が合流地点に先に到着する場合、車両と救急車との新しい合流地点を再度、選定してもよい。先に到着する場合とは、車両または救急車が合流地点に先に到着した場合と、車両または救急車が合流地点に先に到着すると予測される場合とを含む。本実施形態では、車両または救急車が合流地点に先に到着した場合について説明する。合流地点選定部２２は、例えば、救急車が合流地点に先に到着したとき、車両の現在位置から合流地点に向かうルート上の中間地点を新しい合流地点として選定してもよい。または、合流地点選定部２２は、例えば、救急車が合流地点に先に到着したとき、車両の現在位置から病院へ直接向かうルート上の中間地点を新しい合流地点として選定してもよい。新しい合流地点は、乗員が救急車と合流するまでに要する時間と、新しい合流地点から病院までに要する時間との合計の時間が最も短くなる地点であることが好ましい。
【００４０】
送信部２３は、合流地点選定部２２が選定した合流地点の情報を搬送支援装置１０と救急車とに送信する。
【００４１】
次に、図３を用いて、搬送支援システム１における情報処理について説明する。図３は、第一実施形態に係る搬送支援システムにおける処理の流れを示すシーケンス図である。ここでは、病院は、車両の現在地の最寄りの救急病院とする。車両には、搬送支援装置１０が搭載され、病院には、合流地点選定装置２０が配置されている。
【００４２】
搬送支援装置１０において、車両が動作している期間中、車両位置情報取得部１２は、ＧＰＳ受信機から車両の現在位置情報を常時取得する（ステップＳ１１）。
【００４３】
搬送支援装置１０において、車両が動作している期間中、検知データ取得部１１は、検知部１００から車両の乗員の生体情報である検知データを常時取得する（ステップＳ１２）。
【００４４】
搬送支援装置１０において、判断部１３は、検知データ取得部１１が取得した検知データによって乗員の身体が異常状態であると推定されるかを常時、または、所定時間ごとに判断する（ステップＳ１３）。
【００４５】
図４を参照して、ステップＳ１３について詳しく説明する。図４は、第一実施形態に係る搬送支援装置における処理の流れを示すフローチャートである。
【００４６】
搬送支援装置１０は、判断部１３によって、検知データ取得部１１が取得した検知データによって乗員の身体が異常状態であると推定されるか否かを判断する（ステップＳ１３１）。そして、搬送支援装置１０は、判断部１３によって、乗員の身体が異常状態であると推定されると判断すると（ステップＳ１３１でＹｅｓ）、ステップＳ１３２に進む。搬送支援装置１０は、判断部１３によって、乗員の身体が異常状態であると推定されないと判断すると（ステップＳ１３１でＮｏ）、処理を終了する。乗員の身体が異常状態であるとき（ステップＳ１３１でＹｅｓ）、搬送支援装置１０は、自動運転制御部１８によって、車両を安全な場所に停止する（ステップＳ１３２）。搬送支援装置１０は、送信部１５によって、判断結果を検知データである異常情報とともに、最寄りの救急病院の合流地点選定装置２０に出力する（ステップＳ１３３）。
【００４７】
図３に戻って、搬送支援装置１０において、送信部１５は、現在位置情報と異常情報とを合流地点選定装置２０に送信する。
【００４８】
合流地点選定装置２０において、受信部２１は、搬送支援装置１０から異常情報を受信する。受信部２１は、受信した異常情報を医師に通知する。
【００４９】
医師は、通知された異常情報を確認して、乗員の症状を診断する。医師によって乗員の症状が緊急度が高いと診断されると、当該病院の担当者は、当該乗員の救急での受入可否を判断する。
【００５０】
当該病院において受入不可と判断されると、合流地点選定装置２０は、送信部２３によって、受入不可である旨を車両に通知する。車両は、当該病院の合流地点選定装置２０から受入不可との結果を受信すると、受入可能である旨の結果が得られる病院が見つかるまで、他の救急病院の合流地点選定装置２０に対して同様の処理を実行する。
【００５１】
当該病院の担当者によって受入可能と判断されると、合流地点選定装置２０は、合流地点を選定する（ステップＳ２１）。
【００５２】
図５を参照して、ステップＳ２１について詳しく説明する。図５は、第一実施形態に係る合流地点選定装置における処理の流れを示すフローチャートである。
【００５３】
合流地点選定装置２０は、合流地点選定部２２によって、車両の現在位置情報を取得する（ステップＳ２１１）。そして、合流地点選定装置２０は、合流地点選定部２２によって、医師によって緊急度が高いとされているか否かを判断する（ステップＳ２１２）。合流地点選定装置２０は、合流地点選定部２２によって、医師によって緊急度が高いと判断されている場合（ステップＳ２１２でＹｅｓ）、ステップＳ２１３に進む。合流地点選定装置２０は、合流地点選定部２２によって、医師によって緊急度が高いと判断されていない場合（ステップＳ２１２でＮｏ）、ステップＳ２１４に進む。緊急度が高い場合（ステップＳ２１２でＹｅｓ）、合流地点選定装置２０は、合流地点選定部２２によって、車両の現在位置情報から、車両が病院の所在地に近いか否かを判断する（ステップＳ２１３）。例えば、病院の所在地まで、３０分以内で到着可能である場合を近いとする。合流地点選定装置２０は、合流地点選定部２２によって、車両が病院の所在地に近いと判断する場合（ステップＳ２１３でＹｅｓ）、ステップＳ２１４に進む。合流地点選定装置２０は、合流地点選定部２２によって、車両が病院の所在地に近くないと判断する場合（ステップＳ２１３でＮｏ）、ステップＳ２１５に進む。緊急度が低い場合（ステップＳ２１２でＮｏ）、または、車両が病院の所在地に近い場合（ステップＳ２１３でＹｅｓ）、合流地点選定装置２０は、合流地点選定部２２によって、車両が病院まで自走するように、病院を目的地とする自走情報を搬送支援装置１０に送信する（ステップＳ２１４）。車両が病院の所在地に近くない場合（ステップＳ２１３でＮｏ）、合流地点選定装置２０は、合流地点選定部２２によって、合流地点を選定する（ステップＳ２１５）。そして、合流地点選定装置２０は、合流地点選定部２２によって、選定した合流地点の合流地点情報を搬送支援装置１０に送信する（ステップＳ２１６）。
【００５４】
図３に戻って、搬送支援装置１０において、受信部１６は、合流地点選定装置２０から合流地点情報を受信する。
【００５５】
搬送支援装置１０において、ルート探索部１７は、合流地点までのルートを検索して、自動走行を開始する（ステップＳ１４）。
【００５６】
図６を参照して、ステップＳ１４について詳しく説明する。図６は、第一実施形態に係る搬送支援装置における処理の流れを示すフローチャートである。
【００５７】
搬送支援装置１０は、ルート探索部１７によって、合流地点情報を取得する（ステップＳ１４１）。そして、搬送支援装置１０は、ルート探索部１７によって、合流地点までのルートを検索する（ステップＳ１４２）。そして、搬送支援装置１０は、自動運転制御部１８によって、検索したルート情報に従って、目的地まで車両を自動走行させる制御信号を走行制御部に出力する（ステップＳ１４３）。搬送支援装置１０は、現在位置情報を合流地点選定装置２０に送信する。
【００５８】
図３に戻って、車両が合流地点までの自動運転を開始すると、搬送支援装置１０は、車両の現在位置情報を常時、または、所定時間ごとに合流地点選定装置２０に送信する。また、合流地点選定装置２０から、救急車の現在位置情報が常時、または、所定時間ごとに搬送支援装置１０に送信される。
【００５９】
合流地点選定装置２０において、合流地点選定部２２は、状況に応じて、合流地点を再選定する（ステップＳ２２）。
【００６０】
図７を参照して、ステップＳ２２について詳しく説明する。図７は、第一実施形態に係る合流地点選定装置における処理の流れを示すフローチャートである。
【００６１】
合流地点選定装置２０は、合流地点選定部２２によって、車両の現在位置情報を取得する（ステップＳ２２１）。合流地点選定装置２０は、合流地点選定部２２によって、救急車の現在位置情報を取得する（ステップＳ２２２）。そして、合流地点選定装置２０は、合流地点選定部２２によって、車両または救急車が合流地点に先に到着したか否かを判断する（ステップＳ２２３）。合流地点選定装置２０は、合流地点選定部２２によって、車両または救急車が合流地点に先に到着したと判断されている場合（ステップＳ２２３でＹｅｓ）、ステップＳ２２４に進む。合流地点選定装置２０は、合流地点選定部２２によって、車両または救急車が合流地点に先に到着してないと判断された場合（ステップＳ２２３でＮｏ）、処理を終了する。車両または救急車が合流地点に先に到着した場合（ステップＳ２２３でＹｅｓ）、合流地点選定装置２０は、合流地点選定部２２によって、遅れている方の救急車または車両の現在位置情報から合流地点までの到着予定時刻は、現在時刻から閾値以上先の時刻であるか否かを判断する（ステップＳ２２４）。例えば、閾値は１０分程度とする。合流地点選定装置２０は、合流地点選定部２２によって、合流地点への到着予定時刻は、現在時刻から閾値以上先の時刻であると判断する場合（ステップＳ２２４でＹｅｓ）、ステップＳ２２５に進む。合流地点選定装置２０は、合流地点選定部２２によって、合流地点への到着予定時刻は、現在時刻から閾値以上先の時刻ではないと判断する場合（ステップＳ２２４でＮｏ）、処理を終了する。この場合は、現在の合流地点で、先に到着した救急車または車両は、遅れている車両または救急車の到着を待つ。遅れている方の合流地点への到着予定時刻が閾値以上先の時刻である場合（ステップＳ２２４でＹｅｓ）、合流地点選定装置２０は、合流地点選定部２２によって、合流地点を再選定する（ステップＳ２２５）。そして、合流地点選定装置２０は、合流地点選定部２２によって、再設定した合流地点の合流地点情報を搬送支援装置１０に送信する（ステップＳ２２６）。
【００６２】
図３に戻って、搬送支援装置１０において、受信部１６は、合流地点選定装置２０から再設定された合流地点情報を受信する。
【００６３】
搬送支援装置１０において、ルート探索部１７は、再設定された合流地点までのルートを検索して、自動走行を開始する（ステップＳ１５）。
【００６４】
このようにして、搬送支援システム１は、乗員の身体が異常状態になると、救急車と車両との合流地点までのルートを選定して、車両を救急車との合流地点まで走行させる。
【００６５】
上述したように、本実施形態によれば、乗員の身体が異常状態になると、合流地点までのルートを選定して、車両を救急車との合流地点まで自動で走行させる。これにより、本実施形態は、車両の現在位置において救急車の到着を待つ場合に比べて、時間的なロスを低減することができる。このように、本実施形態によれば、緊急対応性を向上することができる。
【００６６】
本実施形態は、車両または救急車が合流地点に先に到着すると、合流地点を再設定する。救急車は緊急走行が可能であるが、車両は緊急走行ができないため、救急車が合流地点に先に到着する可能性が高い。このような場合でも、本実施形態は、時間的なロスをより低減することができる。また、本実施形態は、緊急対応性をより向上することができる。
【００６７】
［第二実施形態］
図８を参照しながら、本実施形態に係る搬送支援システム１について説明する。図８は、第二実施形態に係る搬送支援システムにおける処理の流れを示すシーケンス図である。本実施形態に係る搬送支援システム１は、基本的な構成は第一実施形態の搬送支援システム１と同様である。以下の説明においては、搬送支援システム１と同様の構成要素には、同一の符号または対応する符号を付し、その詳細な説明は省略する。本実施形態の搬送支援システム１は、合流地点選定装置２０が消防署（救急搬送支援施設）に配置されている点が、第一実施形態の搬送支援システム１と異なる。
【００６８】
次に、図８を用いて、搬送支援システム１における情報処理について説明する。搬送支援装置１０における処理は、第一実施形態と同様である。
【００６９】
消防署に配置された合流地点選定装置２０において、受信部２１は、搬送支援装置１０から異常情報を受信する。受信部２１は、受信した異常情報を病院の医師に通知する。
【００７０】
消防署において、担当者または救急救命士は、受信した異常情報に基づいて、緊急度、言い換えると、緊急搬送の要否を判断する。
【００７１】
医師は、合流地点選定装置２０から通知された異常情報を確認して、乗員の症状を診断する。医師によって乗員の症状が緊急度が高いと診断されると、当該病院の担当者は、当該乗員の救急での受入可否を判断する。病院は、消防署に対して、受入可否を回答（連絡）する。
【００７２】
病院が受入可能であると、消防署の合流地点選定装置２０において、合流地点選定部２２は、合流地点を選定する（ステップＳ３１）。消防署の合流地点選定装置２０は、合流地点情報を、搬送支援装置１０に送信する。
【００７３】
上述したように、合流地点選定装置２０は、救急搬送先を選定したり救急車に対する出動指令を発したりする権限を有する消防署などに配置することができる。これにより、本実施形態は、乗員の搬送先を消防署が選定することができるので、より緊急対応性を向上することができる。
【００７４】
図示した搬送支援システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【００７５】
搬送支援システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００７６】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【００７７】
上記では、救急移動体が救急車の場合について説明したが、救急救命用のヘリコプターであっても適用可能である。救急救命用のヘリコプターである場合、合流地点選定部２２は、合流地点として最寄りのヘリポートを選定する。また、最寄りのヘリポートが離れた場所にある場合、まず、車両が救急車と合流した後、救急車でヘリポートまで搬送してもよい。この場合、合流地点は、例えば、ヘリポートの所在地と車両の現在位置との中間地点であって、例えば、公共施設などの駐車場、公園、駐停車可能な道路の路肩など、乗員を安全に救急車に移動可能な地点を選定することが好ましい。合流地点は、乗員が救急車と合流するまでに要する時間と、合流地点からヘリポートに到着するまでに要する時間との合計の時間が最も短くなる地点であることが好ましい。
【００７８】
上記では、判断部１３は、救急搬送が必要とされる状態を異常状態としたが、これに限定されない。例えば、乗員が持病を有する場合、持病に応じて、救急搬送が必要とされる、検知データの異常値を記憶しておく。判断部１３は、検知データが記憶した閾値を超えたら、異常状態であると判断してもよい。これにより、乗員の持病に起因する異常状態の発生時に、より適切に緊急対応をすることができる。
【００７９】
上記では、車両は自動運転が可能な車両であるものとして説明したが、これに限定されない。例えば、運転者以外の乗員が異常状態になった場合や、運転者が異常状態になった場合でも運転者以外の乗員が運転可能である場合、乗員が、ルート探索部１７が探索したルートに従って車両を走行させて合流地点まで移動してもよい。
【符号の説明】
【００８０】
１        搬送支援システム
１０      搬送支援装置
１１      検知データ取得部
１２      車両位置情報取得部
１３      判断部
１５      送信部（第一送信部）
１６      受信部（第一受信部）
１７      ルート探索部
１８      自動運転制御部
２０      合流地点選定装置
２１      受信部（第二受信部）
２２      合流地点選定部
２３      送信部（第二送信部）
１００    検知部
【図１】
2019164022.tif 000003
【図２】
2019164022.tif 000004
【図３】
2019164022.tif 000005
【図４】
2019164022.tif 000006
【図５】
2019164022.tif 000007
【図６】
2019164022.tif 000008
【図７】
2019164022.tif 000009
【図８】
2019164022.tif 000010